(57)【要約】      （修正有）【課題】アーチェリー競技等の射的競技における、射的時の矢の保護という標的芯材の目的を損ねることなく、屋外での使用でも経年劣化せずに使用できる標的芯材を提供する。また、一部の箇所へ集中して矢が刺さることによる耐久性の問題を解決し、且つ作業困難であった標的設置、片付け時の改善を実現できる標的芯材を提供する。【解決手段】射的競技用の標的芯材１は、標的面１ａの面方向に互いに分割し得るように構成されるとともに、その外形面積がそれぞれ標的面１ａの外形面積よりも小さくなるように構成された発泡プラスチックからなる複数の発泡体ピース２１を備える。【選択図】図３
2014126264.tif 000002
【特許請求の範囲】
【請求項１】
プラスチックからなる射的競技用の標的芯材であって、
射的競技に用いられる矢が刺さり得る標的面の面方向に互いに分割し得るように構成されるとともにその外形面積がそれぞれ当該標的面の外形面積よりも小さくなるように構成された発泡プラスチックからなる複数の発泡体ピースを備えてなることを特徴とする射的競技用の標的芯材。
【請求項２】
前記複数の発泡体ピースが、それぞれ同形状をなしたものである請求項１記載の射的競技用の標的芯材。
【請求項３】
前記発泡体ピースの少なくとも外縁を支持する枠体を備えてなる請求項１又は２記載の射的競技用の標的芯材。
【請求項４】
前記複数の発泡体ピースが、周囲に溝が形成された略矩形ブロック状のものであり、前記枠体が、前記溝に係合可能である請求項３記載の射的競技用の標的芯材。
【請求項５】
前記複数の発泡体ピースが、正面視において略正方形状をなしたものであり、前記枠体が、正面視において略正方形枠状をなしたものである請求項３又は４記載の射的競技用の標的芯材。
【請求項６】
前記複数の発泡体ピースが、周囲に溝が連続して形成された略矩形状のブロック状のものであり、
前記枠体が、発泡体ピースの外縁に位置する溝に嵌合される外枠体と、隣接する前記発泡体ピースの対向する溝にそれぞれ嵌合される介在部材とを有している請求項３、４又は５記載の射的競技用の標的芯材。
【請求項７】
前記発泡体ピースが、独立気泡発泡体からなる請求項１、２、３、４、５又は６記載の射的競技用の標的芯材。
【請求項８】
前記発泡体ピースが、再生ポリエチレン樹脂発泡体からなる請求項１、２、３、４、５、６又は７記載の射的競技用の標的芯材。
【請求項９】
前記発泡体ピースが、強度が異なる複数の発泡体層を積層してなる請求項１、２、３、４、５、６又は７記載の射的競技用の標的芯材。
【請求項１０】
前記発泡体ピースが、比較的強度が高い高強度発泡体層及び比較的強度が低い低強度発泡体層を交互に積層してなる請求項９記載の射的競技用の標的芯材。
【請求項１１】
前記射的競技が、アーチェリー競技である請求項１、２、３、４、５、６、７、８、９又は１０記載の射的競技用の標的芯材。
【発明の詳細な説明】
【技術分野】
【０００１】
本発明は、アーチェリー競技の他、クロスボウ、弓道等の標的に射的するいわゆる射的競技に用いられる標的芯材に関するものである。
【背景技術】
【０００２】
従来、アーチェリー競技の他、クロスボウ、弓道等の標的に射的するいわゆる射的競技に適用される標的芯材には、射的時の矢の保護を目的に畳一枚、又は数枚を重ねて使用している。しかし畳は、野外に設置し使用する際には雨が染み込むことにより腐敗し、標的芯材としての効果が持続しないという問題があった。
【０００３】
また畳は、屋内外の使用を問わず、同一箇所へ繰り返し矢が刺さるためその一部の箇所のみが損傷し、所期の役割を果たさなくなるという耐久性にも問題があった。
【０００４】
また畳は嵩張る上に一枚一枚が重く、持ち運びや取り回しが困難であり、標的設置時や片付け時の作業に多くの労力を要するものとなっていた。
【０００５】
このような背景のなか、ゴム及びゴム発泡体を標的芯材として利用する技術も開示されてはいるが（例えば、特許文献１参照）、刺さった矢を抜く際に摩擦が強すぎて実用的ではないことが実施する上で明らかとなっている。
【先行技術文献】
【特許文献】
【０００６】
【特許文献１】特開平７−２５５８８８号公報
【発明の概要】
【発明が解決しようとする課題】
【０００７】
本発明は、このような不具合に着目したものであり、アーチェリー競技等の射的競技における射的時の矢の保護という標的芯材の目的を損ねることなく、屋外での使用でも経年劣化せずに使用できる標的芯材を提供することを目的とする。また、一部の箇所へ集中して矢が刺さることによる耐久性の問題を解決し、且つ作業困難であった標的設置、片付け時の改善を実現できる標的芯材を提供することを目的とする。
【課題を解決するための手段】
【０００８】
本発明は、このような目的を達成するために、次のような手段を講じたものである。
【０００９】
すなわち本発明に係る射的競技用の標的芯材は、プラスチックからなる射的競技用の標的芯材であって、射的競技に用いられる矢が刺さり得る標的面の面方向に互いに分割し得るように構成されるとともにその外形面積がそれぞれ当該標的面の外形面積よりも小さくなるように構成された発泡プラスチックからなる複数の発泡体ピースを備えてなることを特徴とする。
【００１０】
このようなものであれば、標的芯材の素材を発泡プラスチックとしているので、屋外の使用でも畳に比べて経年劣化する度合が小さく、長期間標的芯材としての性能を維持することが可能となる。そして発泡プラスチックは特許文献に記載されているようなゴム製のものと比べ、刺さった矢を抜く際の抵抗も小さく、矢の回収作業の効率化にも資する。また複数の発泡体ピースに分割することができるので、標的の設置、片付けの際には外形面積が小さい、すなわちコンパクトな発泡体ピース毎に取り扱いができるので、標的の設置並びに片付けの作業性の向上も実現することができる。
【００１１】
標的の設置、片付けの際の作業性並びに矢が刺さることにより発泡体ピースが劣化することを回避するための発泡体ピースの交換や配置替えを効率良く行うためには、複数の発泡体ピースを、それぞれ同形状をなすものとすることが望ましい。
【００１２】
また、発泡体ピース毎の取り扱いの容易さと標的心材としての性能の保持を有効に両立させるためには、発泡体ピースの少なくとも外縁を支持する枠体を設けることが望ましい。
【００１３】
取り扱い易い発泡体ピースの形状の具体的な一例として、複数の発泡体ピースを周囲に溝が形成された略矩形ブロック状のものとし、枠体が、前記溝に係合可能なものを挙げることができる。
【００１４】
発泡体ピースの組立てや配置替え、交換を容易に行うためには、複数の発泡体ピースを正面視において略正方形状をなしたものとし、枠体を正面視において略正方形枠状をなしたものとすることが好ましい。
【００１５】
そして複数の発泡体ピースが、周囲に溝が連続して形成された略矩形状のブロック状のものである場合、枠体を、発泡体ピースの外縁に位置する溝に嵌合される外枠体と、隣接する前記発泡体ピースの対向する溝にそれぞれ嵌合される介在部材とを備えたものとすることが望ましい。
【００１６】
標的芯材を、降雨に強くすることで耐候性を有効に向上させるためには、発泡体ピースを、独立気泡発泡体からなるものとすることが望ましい。
【００１７】
発泡体ピースを好適に構成し得るとともに資源の有効利用にも資するものの一例として、発泡体ピースを、再生ポリエチレン樹脂発泡体により構成することが望ましい。
【００１８】
射的競技の矢が安定して刺さりつつ回収時に抜きやすいものとするためには、発泡体ピースが、強度が異なる複数の発泡体層を積層した構成とすることが望ましい。具体的には、発泡体ピースを、比較的強度が高い高強度発泡体層及び比較的強度が低い低強度発泡体層を交互に積層した構成とすることが望ましい。
【００１９】
本発明に係る標的芯材は、射的競技のなかでも、特にアーチェリー競技に利用することにより、当該競技の準備や撤収の作業の効率化並びに競技の安定した進行に有効に資するものとなる。
【発明の効果】
【００２０】
本発明によれば、射的競技における射的時の矢の保護という標的芯材の目的を損ねることなく、屋外での使用でも経年劣化せずに使用できる標的芯材を提供することができる。また本発明によれば、一部の箇所へ集中して矢が刺さることによる耐久性の問題を解決し、且つ作業困難であった標的設置、片付け時の改善を実現できる標的芯材を提供することができる。
【図面の簡単な説明】
【００２１】
【図１】本発明の一実施形態に係る外観図。
【図２】同実施形態に係る正面図。
【図３】同構成説明図。
【図４】同他の構成説明図。
【図５】同要部の側面図。
【図６】同実施形態に係る要部の断面図。
【図７】同実施形態の変形例１に係る図６に対応した図。
【図８】同変形例２に係る図６に対応した図。
【図９】同変形例３に係る正面図。
【図１０】同変形例４に係る正面図。
【発明を実施するための形態】
【００２２】
以下、本発明の一実施の形態について図面を参照して説明する。
【００２３】
本実施形態に係る標的芯材１は、図１に示すように、射的競技であるアーチェリー競技に好適に用いられる標的を構成するものである。標的は、この標的芯材１と、当該標的芯材１の正面すなわち矢Ａが刺さる面である標的面１ｓに貼付される標的シートＳと、標的芯材１を立てた状態で支持する支持台Ｄとを具備している。標的シートＳ並びに支持台Ｄについては、競技において規定される所定の規格を満たし得る通常のものであるため、詳細な説明を省略する。
【００２４】
標的芯材１は、図２〜図６に示すように、発泡プラスチックからなる芯材本体２と、この芯材本体２の少なくとも外縁を囲み芯材本体２の形状を保持するための枠体３とを有している。
【００２５】
ここで、本実施形態に係る標的芯材１は、標的面１ｓの面方向に互いに分割し得るように構成されるとともにその外形面積がそれぞれ当該標的面１ｓの外形面積よりも小さくなるように構成された発泡プラスチックからなる複数の発泡体ピース２１を備えてなることを特徴とする。
【００２６】
以下、標的芯材１の各部の構成について具体的に説明する。
【００２７】
芯材本体２は、図２〜図６に示すように、本実施形態では同形状の９つの発泡体ピース２１からなる正面視において略正方形状をなしたものである。芯材本体２は、発泡体ピース２１を縦３列横３行で配置することにより縦１３２０ｍｍ、横１３２０ｍｍの寸法をなす。発泡体ピース２１は、周囲に凹溝２３が形成された略矩形である略正方形ブロック状の再生ポリエチレン樹脂発泡体からなるものであり、例えば厚み１４０ｍｍ、縦４４０ｍｍ、横４４０ｍｍの外形寸法に成形されたものである。この発泡体ピース２１は、標的面１ｓを有したピース本体２２と、ピース本体２２の４つの端面に形成された溝たる凹溝２３とを有している。発泡体ピース２１は、図５及び図６に示す様に、具体的には強度が異なる高強度発泡体層２１ａ及び低強度発泡体層２１ｂを交互に計５層積層し、熱ラミネート加工により厚み方向に分離不能としたものである。本実施形態では、高強度発泡体層２１ａを標的面１ｓ及び裏面に例えば２０ｍｍの厚みで配置するとともに中央には４０ｍｍの厚みで配置している。低強度発泡体層２１ｂは高強度発泡体層２１ａ間に例えば３０ｍｍの厚みで介在している。高強度発泡体層２１ａは、本実施形態では独立気泡で構成された再生ポリエチレン樹脂発泡体からなるものである。高強度発泡体層２１ａを構成する再生ポリエチレン樹脂発泡体は例えば８倍発泡品と呼ばれるもので、１４５Ｋｇ／ｍ3の比重を有するものである。低強度発泡体層２１ｂを構成する再生ポリエチレン樹脂発泡体は例えば１５倍発泡品と呼ばれるもので、６５Ｋｇ／ｍ3の比重を有するものである。凹溝２３は、本実施形態ではピース本体２２の端面における厚み方向中央を４つの端面に亘って削ることにより設けられたものであり、この凹溝２３に枠体３が嵌合することにより、各発泡体ピース２１が位置付けられる。ここで、本実施形態はこの再生ポリエチレン樹脂発泡体の比重を限定するものではないが、６０〜１６０Ｋｇ／ｍ3の比重を有するポリエチレン樹脂発泡体を適宜複数の層或いは単層に構成し、厚みを１００ｍｍから１６０ｍｍに設定することで、アーチェリー競技に好適に用いることができる芯材本体２を構成し得る。
【００２８】
枠体３は、凹溝２３に係合、具体的には嵌合可能に構成された正面視において略正方形枠状をなしたものである。枠体３は、芯材本体２を外側から保持する外枠体３１と、隣接する発泡体ピース２１の凹溝２３に嵌合する介在部材３２とを有している。外枠体３１は、例えば四角柱状の木材を枠状に形成したものであり、コの字状に固定、成形された枠台３３と、枠台３３の開放された一辺を塞ぐための開閉体３４と、枠台３３に開閉体３４の一端を回転可能に接続するヒンジ３５と、開閉体３４の他端に形成されたピン３４ａに係り合い枠台３３と開閉体３４とを四角枠形状で固定する係合部３６とを有している。介在部材３２は、外枠体３１と同じ径をなす四角柱状をなすものであり、本実施形態では独立気泡で構成された、例えば１１０Ｋｇ／ｍ3の比重を有するポリエチレン樹脂発泡体からなるものとしている。この介在部材３２は、隣接する２つの発泡体ピース２１の側端面同士向かい合う凹溝２３に嵌合する短寸棒３７と、横方向に隣接する３つの発泡体ピース２１の上下端面に連続する凹溝２３に嵌合するための長尺棒３８とによって構成される。
【００２９】
しかして本実施形態では、芯材本体２を複数の発泡体ピース２１に構成することにより、競技によって特定の発泡体ピース２１が集中的に損傷したとしても図３及び図４に示すように標的芯材１を分解することにより当該発泡体ピース２１のみを交換すればよい。また或いは損傷度合いの高い発泡体ピース２１を損傷度合いの低い他の位置に配置されている発泡体ピース２１と交換してもよい。このような発泡体ピース２１の位置変更により、一体に形成された従来の標的芯材１よりも耐久性を向上させることが可能である。また勿論、図６に示す様に矢Ａの刺さる位置によっては介在部材３２も矢Ａによる損傷を受けることがあるが、図３及び４に示すように分解し、介在部材３２、すなわち長尺棒３８又は短寸棒３７を適宜交換してやればよい。
【００３０】
以上のような構成とすることにより、本実施形態に係る標的芯材１は、素材を発泡プラスチックとしているので、屋外の使用においては従来の畳に比べて経年劣化する度合いが小さく、長期間に亘って標的芯材１としての性能を維持することを実現している。そして発泡プラスチックは上記の通り発泡倍率つまり比重を適宜調整したものを使用することでゴム製のものと比べ、刺さった矢Ａを抜く際の抵抗も小さく、矢Ａの回収作業を有効に省力化し得るものとなっている。そして標的芯材１は複数の発泡体ピース２１に面方向に分割することができるので、標的の設置、片付けの際には外形面積が小さい、すなわちコンパクトな発泡体ピース２１毎に取り扱いができる。これにより、標的の設置片付けや運搬の作業性の向上や、保管時の省スペース化をも実現している。
【００３１】
上述したような、標的の設置、片付けの際の作業や発泡体ピース２１の交換や配置替えの作業をさらに効率良く行うために本実施形態では、複数の発泡体ピース２１を、それぞれ同形状をなすものとしている。
【００３２】
また、発泡体ピース２１毎の取り扱いの容易さと標的心材としての性能の保持を有効に両立させるために本実施形態では、発泡体ピース２１の少なくとも外縁を支持する枠体３を設け、この枠体３により各発泡体ピース２１を固定するようにしている。
【００３３】
また複数の発泡体ピース２１を周囲に溝である凹溝２３が形成された略矩形ブロック状のものとし、枠体３が凹溝２３に係合可能なものとすることで、簡単な構成により確実な各発泡体ピース２１の位置決めを実現している。
【００３４】
そして複数の発泡体ピース２１を正面視において略正方形状をなしたものとし、枠体３を正面視において略正方形枠状をなしたものとすることで、発泡体ピース２１の組立てや配置替え、交換を容易に行い得るものとなっている。
【００３５】
そして複数の発泡体ピース２１が、周囲に凹溝２３が連続して形成された正方形状をなすブロック状のものとしているので、正方形状をなす発泡体ピース２１の向きをなんら気にすることなく組み立てることが可能である。加えて、枠体３を、発泡体ピース２１の外縁に位置する凹溝２３に嵌合される外枠体３１と、隣接する前記発泡体ピース２１の対向する凹溝２３にそれぞれ嵌合される介在部材３２とを備えたものとして凹溝２３を利用した発泡体ピース２１の確実な位置決めを実現している。
【００３６】
そして本実施形態では、発泡体ピース２１を、表面からの水が内部に染み込まない独立気泡発泡体からなるものとしているので、降雨に強く、耐候性が畳みよりも有効に向上し、且つ連続気泡発泡体からなるものよりも水を含んで重くなり移動や運搬の際の労力が増大してしまうことも有効に回避している。
【００３７】
発泡体ピース２１を好適に構成し得るとともに資源の有効利用にも資するものの一例として、発泡体ピース２１を、再生ポリエチレン樹脂発泡体により構成することが望ましい。
【００３８】
特に本実施形態では、アーチェリー競技の矢Ａが安定して刺さりつつ回収時に抜きやすいものとするために、発泡体ピース２１を、強度、具体的には発泡倍率を異ならせることによる比重が異なる複数の発泡体層を積層した構成としている。詳細には、発泡体ピース２１を、発泡倍率が低く比重が高いため比較的強度が高くなっている高強度発泡体層２１ａ及び発泡倍率が高く比重が低いため比較的強度が低くなっている低強度発泡体層２１ｂを交互に積層した構成としている。
【００３９】
＜変形例＞
以下に、同実施形態に係る各変形例について説明する。これら各変形例については、上記実施形態の構成要素に相当するものに対しては同じ符号を付すとともに、その詳細な説明を省略するものとする。
【００４０】
図７に本実施形態の変形例１を示す。すなわち同図に断面で示すように、発泡体ピース２１の一方の端面には上記実施形態同様の凹溝２３を形成する一方、他方の端面に凹溝２３に嵌合し得る凸条を形成したものであっても良い。
【００４１】
このようなものであれば、上記実施形態における介在部材３２の構成を省略することが可能となる。
【００４２】
図８に変形例２を示す。本変形例では、凹溝２３ａ及び凸条２４ａにそれぞれ抜け止め面２３ａ１、２４ａ１を形成することにより、互いに嵌合した凹溝２３ａと凸条２４ａとが面方向に離間し得ない構成としたものである。
【００４３】
このようなものであれば、互いに嵌合した複数の発泡体ピース２１が面方向に分離しないものとなるため、枠体３を用いずとも芯材本体２のみで標的芯材１を構成することが可能となる。
【００４４】
他方、上記実施形態では正方形状の発泡体ピース２１を開示したが、発泡体ピース２１の具体的な正面視形状は正方形に限られず、種々の形状に設定することが可能である。例えば図９に示す変形例３のように、縦長の矩形状をなす発泡体ピース２１を例えば４枚並べて芯材本体２を形成することにより、開閉体３４を開放させた状態で全ての発泡体ピース２１の交換が行えるようにしても良い。
【００４５】
また、図１０に示す変形例４のように、矢Ａが頻繁に刺さると予想される芯材本体２の中心部分と矢Ａが刺さる頻度が低いと予想される周辺部分で、発泡体ピース２１の正面視形状を異ならせても良い。
【００４６】
上記の図９や図１０のようなものであっても、個々の発泡体ピース２１の外形が専有する面積は芯材本体２よりも小さいものであるため、上記実施形態同様に、小さい、すなわちコンパクトな発泡体ピース２１毎に取り扱いができる。これにより、標的の設置片付けや運搬の作業性の向上や、保管時の省スペース化を実現している。
【００４７】
以上、本発明の実施形態及び各変形例について説明したが、各部の具体的な構成は、上述した実施形態のみに限定されるものではなく、本発明の趣旨を逸脱しない範囲で種々変形が可能である。
【００４８】
例えば、上記実施形態では独立気泡発泡体のみを発泡体ピースに用いた態様を開示したが、勿論、表面に露出しない内部にのみ連続気泡発泡体を適用したものであってもよい。また上記実施形態及び変形例１、変形例２では強度がことなる発泡体を５層に構成したが、勿論発泡体を重層する数は５層に限られず、３層やその他の数の層を有するものであっても良い。また枠体や発泡体ピースの具体的な寸法、形状といった具体的な態様は上記実施形態のものに限定されることはなく、既存のものを含め、種々の態様のものを適用することができる。
【００４９】
その他、各部の具体的構成についても上記実施形態に限られるものではなく、本発明の趣旨を逸脱しない範囲で種々変形が可能である。
【産業上の利用可能性】
【００５０】
本発明はアーチェリー競技の他、クロスボウ、弓道等の標的に射的するいわゆる射的競技に用いられる標的芯材として利用することができる。
【符号の説明】
【００５１】
１…射的競技用の標的芯材（標的芯材）
１ａ…標的面
２１…発泡体ピース
２１ａ…高強度発泡体層
２１ｂ…低強度発泡体層
２３…溝（凹溝）
３…枠体
３１…外枠体
３２…介在部材
Ａ…矢
【図１】
2014126264.tif 000003
【図２】
2014126264.tif 000004
【図３】
2014126264.tif 000005
【図４】
2014126264.tif 000006
【図５】
2014126264.tif 000007
【図６】
2014126264.tif 000008
【図７】
2014126264.tif 000009
【図８】
2014126264.tif 000010
【図９】
2014126264.tif 000011
【図１０】
2014126264.tif 000012